(57)【要約】【課題】電気通信ネットワーク（３０６）と、第１の加入者ステーション（３００；Ｄ）と、１つまたはそれ以上の他の加入者ステーション（４０３）とを備える電気通信システムにおける呼びを制御するための方法および電気通信システムを提供すること。【解決手段】本発明の方法においては、加入者ステーション（３００、Ｄ、４０３）が関与している呼びが維持される。そして、その呼びから所望の加入者ステーションを排除するために、第１の加入者ステーション（３００、Ｄ）は、電気通信ネットワーク（３０６）に、１つまたはそれ以上の他の加入者ステーション（４０３）をその呼びから排除するように命令（４０１）し、電気通信ネットワーク（３０６）は、その呼びを中断することなく、その呼びから１つまたはそれ以上の他の加入者ステーション（４０３）を排除（４０２）する。【選択図】図４
2006101552.tif 000002
【特許請求の範囲】
【請求項１】
電気通信ネットワーク（３０６）と、第１の加入者ステーション（３００；Ｄ）と、１つまたはそれ以上の他の加入者ステーション（４０３；１０２；２０１）とを備える電気通信システムにおける呼びを制御するための方法であって、識別子を有し識別子を与えられたグループ呼びグループを構成しうる前記加入者ステーション（３００、Ｄ、４０３、１０２、２０１）が関与するグループ呼びを維持する段階を含むような方法において、
前記第１の加入者ステーション（３００、Ｄ）が、前記電気通信ネットワーク（３０６）へ排除メッセージ（４０１）を送信することにより、前記電気通信ネットワーク（４０１）に所望の加入者ステーションまたはグループ呼びグループをその呼びから排除するように命令し、前記排除メッセージは、その呼びから排除されるべき加入者ステーションまたはグループ呼びグループ（４０３；２０１）の識別子（Ｃ）を含み、
前記電気通信ネットワーク（３０６）は、前記グループ呼びを中断することなく、前記所望の加入者ステーションまたはグループ呼びグループ（１０２；２０１）を前記グループ呼びから排除（４０２）する、
ことを特徴とする方法。
【請求項２】
データベース（４１３）を含む電気通信ネットワーク（３０６）と、識別子を与えられた第１の加入者ステーション（３００、Ｄ）と、識別子（Ｃ）を与えられた１つまたはそれ以上の他の加入者ステーション（４０３；１０２；２０１）とを備えた電気通信システムにおいて呼びを制御する方法であって、前記加入者ステーション（３００、Ｄ、４０３、１０２、２０１）が関与している呼びを維持し、且つ前記電気通信ネットワークの前記データベース（４１３）に前記呼びに関与する加入者の識別子を維持する段階を含む方法において、
前記呼びから１つまたはそれ以上の他の加入者ステーションを排除すると共に、前記呼びに１つまたはそれ以上の他の加入者ステーションを加えるため参入メッセージ（４０１）を使用し、
前記第１の加入者ステーション（３００、Ｄ）が前記呼びに既に関与している１つまたはそれ以上の他の加入者ステーションの識別子（Ｃ）を前記参入メッセージ（４０１）に加え該参入メッセージを送信することにより、前記呼びから１つまたはそれ以上の他の加入者ステーションを排除するように命令し、
前記参入メッセージ（４０１）に応答して、該参入メッセージに含まれた１つまたはそれ以上の他の加入者ステーションの識別子（Ｃ）を、前記呼びに関与している加入者ステーションの、前記データベース（４１３）に維持されている識別子と比較し、
もし、それら識別子が同じであるならば、１つまたはそれ以上の他の加入者ステーションが前記呼びから排除されるべきことを意味するものとして前記参入メッセージを解釈し、該参入メッセージ（３０１）に識別子が含まれていた加入者ステーション（１０２；２０１；４０３）を前記呼びから排除する、
ことを特徴とする方法。
【請求項３】
データベース（４１３）を含む電気通信ネットワーク（３０６）と、識別子を与えられた第１の加入者ステーション（３００；Ｄ）と、識別子（Ｃ）を与えられた１つまたはそれ以上の他の加入者ステーション（４０３；１０２；２０１）とを備えた電気通信システムにおいて呼びを制御する方法であって、前記加入者ステーション（３００、Ｄ、４０３、１０２、２０１）が関与している呼びを維持し、且つ前記電気通信ネットワーク（３０６）の前記データベース（４１３）に前記呼びに関与している加入者の識別子を維持する段階を含む方法において、
前記呼びから１つまたはそれ以上の他の加入者ステーションを排除すると共に、前記呼びに１つまたはそれ以上の他の加入者ステーションを加えるため参入メッセージ（４０１）を使用し、
前記第１の加入者ステーション（３００、Ｄ）が前記呼びに既に関与している１つまたはそれ以上の他の加入者ステーションの識別子（Ｃ）を前記参入メッセージ（４０１）に加え該参入メッセージを送信することにより、前記呼びから１つまたはそれ以上の他の加入者ステーションを排除するように命令し、
前記参入メッセージ（４０１）に応答して、該参入メッセージに含まれた１つまたはそれ以上の他の加入者ステーションの識別子（Ｃ）を、前記呼びに関与している加入者ステーションの、前記データベース（４１３）に維持されている識別子と比較し、
もし、それら識別子が同じであるならば、１つまたはそれ以上の他の加入者ステーションが前記呼びから排除されるべきことを意味するものとして前記参入メッセージを解釈し、該参入メッセージ（３０１）に識別子が含まれていなかった加入者ステーション（４０３；１０２；２０１）を前記呼びから排除する、
ことを特徴とする方法。
【請求項４】
前記電気通信ネットワーク（３０６）は、解除メッセージ（４０２）を前記１つまたはそれ以上の他の加入者ステーション（４０３；１０２；２０１）へ送信することにより、それら１つまたはそれ以上の他の加入者ステーションをその呼びから排除する請求項１または２または３に記載の方法。
【請求項５】
１つまたはそれ以上の他の加入者ステーション（４０３；２０１；１０２）の前記識別子（Ｃ）は、グループ呼びグループの識別子からなる請求項２または３または４に記載の方法。
【請求項６】
前記電気通信ネットワーク（３０６）は、移動通信システムであり、前記加入者ステーション（Ｓ；３００；４０３）は、その移動ステーションである請求項１または２または３または４に記載の方法。
【請求項７】
前記電気通信ネットワーク（３０６）は、固定電気通信ネットワークであり、前記加入者ステーション（Ｓ）は、そこに接続された電気通信装置である請求項１または２または３または４に記載の方法。
【請求項８】
前記電気通信ネットワークに１つまたはそれ以上の加入者ステーションを呼びから排除するように命令する前記加入者ステーション（３００）は、固定制御ポイント（Ｄ）である請求項１または２または３に記載の方法。
【請求項９】
前記呼びは、グループ呼びである請求項１または２または６に記載の方法。
【請求項１０】
前記グループ呼びは、コンファレンス呼びである請求項９に記載の方法。
【請求項１１】
電気通信ネットワーク（３０６）と、ある呼びに関与する第１の加入者ステーション（３００；Ｄ）と、１つまたはそれ以上の他の加入者ステーション（４０３；１０２；２０１）とを備える電気通信システムにおいて、前記電気通信ネットワーク（３０６）は、前記第１の加入者によって送信される排除を指示するメッセージに応答して、前記呼びに関与している１つまたはそれ以上の他の加入者ステーションを該呼びから排除するための手段（４１１）を備えることを特徴とする電気通信システム。
【請求項１２】
前記メッセージは、排除メッセージ（４０１）である請求項１１に記載の電気通信システム。
【請求項１３】
前記メッセージは、該電気通信ネットワークのデータベース（４１３）に記憶された前記呼びに既に関与している１つまたはそれ以上の他の加入者ステーションの識別子（Ｃ）を含む参入メッセージ（４０１；３０１）である請求項１１に記載の電気通信システム。
【請求項１４】
前記メッセージは、参入メッセージであり、前記第１の加入者ステーションによって送信される参入メッセージに応答して、該参入メッセージに含まれている加入者ステーションの識別子を、該電気通信システムのデータベース（４１３）に記憶されている前記呼びに関与している加入者ステーションの識別子と比較し、且つ該比較に基づいて前記呼びに関与している加入者の識別子が該参入メッセージに含まれているならば該参入メッセージが前記呼びから１つまたはそれ以上の他の加入者ステーションを排除することを命令していると解釈し、該排除命令に応答して前記呼びから１つまたはそれ以上の他の加入者ステーションを排除するための比較手段（４１２）を更に備える請求項１１に記載の電気通信システム。
【発明の詳細な説明】
【技術分野】
【０００１】
本発明は、電気通信ネットワーク、第１の加入者ステーションおよび１つまたはそれ以上の他の加入者ステーションを備える電気通信システムにおいて呼びを制御するための方法であって、前記加入者ステーションが関与している呼びを維持する段階を含むような方法に関するものである。
【背景技術】
【０００２】
電気通信ネットワークにおいては、少なくとも２つの関係者を含む呼びが確立されるのが普通である。したがって、その呼びの一方の関係者がその呼びまたは関連した電気通信接続に関与する加入者グループを変更したいことがあるかもしれない。
【０００３】
呼びに関与している加入者ステーションのグループを変更する必要が最も多く生ずる加入者ステーションは、しばしば、その電気通信接続または呼びを制御するディスパッチャ、または固定制御ポイントである。このような状態は、ディスパッチャが種々な呼び、グループ呼び、コンファレンス呼びおよび個々の呼びを使用してワークグループと通信するようなＰＭＲネットワーク（ＰＭＲ＝専用移動無線）では普通に起こることである。
【０００４】
この種の呼びにおいては、ディスパッチャは、しばしば、ある呼びに関与している加入者の数およびグループを変更する必要にせまられる。特に、グループ呼びの場合には、ディスパッチャが、関与している加入者ステーションのグループを変更したいときが、相当の割合で生ずる。あるグループ呼びは、そのシステム、例えば、そのディスパッチャ、またはある加入者ステーションが、いくつかの、少なくとも３つの加入者ステーションに単一コマンドにて同じ呼びに入ることを命令するような呼びである。これらグループは、ある会社のメンバーまたはある他のユーザ組織から構成され、また、これらグループは、しばしば、ある無線電話にプログラムされており、交換機は、必ずしも、どの移動ステーションがどのグループに属しているかを知る必要はない。
【発明の開示】
【発明が解決しようとする課題】
【０００５】
前述した種類の呼びの中で、発呼者、すなわち、例えば、その呼びを開始した人、またはその呼びを監視しているディスパッチャが新たな呼びをセットアップせずに新しい加入者を加えるようにすることができる呼びは、コンファレンス呼びだけである。どの種類の呼びでも、その呼びを完全にまたは部分的に解除せずに、その呼びの関与者の数を減ずることはできない。したがって、もし、ある加入者ステーション、例えば、ディスパッチャがある呼びに関与している加入者ステーションの数を減じたい場合には、ディスパッチャは、その呼びを完全に解除しなければそうすることはできない。呼びを解除すると、使用されていたリソース、例えば、無線チャンネルおよび切換装置が、少なくとも瞬時的に切れてしまうので、この間に、もし、トラヒック量が多い場合には、それらリソースが別の呼びにて別に使用されてしまうことがありうるという問題が生ずる。このため、その発呼者、例えば、ディスパッチャは、数を必要に応じて減少させた、より小さなグループとの通信にすぐに入っていけなくなってしまう。
【０００６】
このような不都合を避けるためには、従来の仕方では、発呼者は、数を減少させない大きなままのグループとの呼びを不必要に長い時間の間維持せねばならず、これでは、リソースの無駄使いとなってしまう。一方、ある加入者ステーション、例えば、ディスパッチャが、グループの全体の者には知らせたくないが、グループのある者には知らせたいことを、それらの者に素早く知らせたい場合がある。このようなことを行なうことも、その加入者ステーションが先ずその呼びを解除してから、新たに呼びをセットアップしなければならないのでは、そのためのリソースを必ずしも使用できるとは限らないので、より難しくなる。
【０００７】
本発明の目的は、前述した従来方式に係る問題点の解決法を提供することである。より正確に述べると、本発明の目的は、ある電気通信接続に関与している、ある加入者ステーション、例えば、ディスパッチャが、必要に応じて、呼びに関与している加入者ステーションのグループを変更する、より正確には、縮小することができるようにする方法およびシステムを提供することである。
【課題を解決するための手段】
【０００８】
電気通信システムにおいて呼びを制御するこの種の新規な方法は、第１の加入者ステーションが、電気通信ネットワークへ排除メッセージを送信することにより、その呼びから所望の加入者ステーションまたはグループ呼びグループを排除するようにその電気通信ネットワークに命令し、その排除メッセージは、その呼びから排除されるべき加入者ステーションまたはグループ呼びグループの識別子を含んでおり、その電気通信ネットワークは、そのグループ呼びを中断せずに、そのグループ呼びからその所望の加入者ステーションまたはグループ呼びグループを排除することを特徴とする本発明の方法によって、達成される。
【０００９】
また、本発明は、データベースを含む電気通信ネットワークと、識別子を与えられた第１の加入者ステーションと、識別子を与えられた１つまたはそれ以上の他の加入者ステーションとを備えた電気通信システムにおいて呼びを制御する方法であって、前記加入者ステーションが関与している呼びを維持し、且つ前記電気通信ネットワークの前記データベースに前記呼びに関与する加入者の識別子を維持する段階を含む方法に関する。この本発明の方法は、前記第１の加入者ステーションが１つまたはそれ以上の他の加入者ステーションの識別子を含む参入メッセージを送信し、該参入メッセージは、前記電気通信ネットワークにその呼びに１つまたはそれ以上の他の加入者を加えるように命令するものであり、該参入メッセージに応答して、この参入メッセージに含まれた１つまたはそれ以上の他の加入者ステーションの識別子が、その呼びに関与している加入者ステーションの、前記データベースに維持されている識別子と比較され、もし、それら識別子が同じであるならば、前記参入メッセージに識別子が含まれていた加入者ステーションがその呼びから排除されるようにすることを特徴としている。
【００１０】
さらにまた、本発明は、データベースを含む電気通信ネットワークと、識別子を与えられた第１の加入者ステーションと、識別子を与えられた１つまたはそれ以上の他の加入者ステーションとを備えた電気通信システムにおいて呼びを制御する方法であって、前記加入者ステーションが関与している呼びを維持し、且つ前記電気通信ネットワークの前記データベースに前記呼びに関与している加入者の識別子を維持する段階を含む方法に関する。この本発明の方法は、前記第１の加入者ステーションが１つまたはそれ以上の他の加入者ステーションの識別子を含む参入メッセージを送信し、該参入メッセージは、前記電気通信ネットワークにその呼びに１つまたはそれ以上の他の加入者を加えるように命令するものであり、該参入メッセージに応答して、この参入メッセージに含まれた１つまたはそれ以上の他の加入者ステーションの識別子がその呼びに関与している加入者ステーションの、前記データベースに維持されている識別子と比較され、もし、それら識別子が同じであるならば、前記参入メッセージに識別子が含まれていなかった加入者ステーションがその呼びから排除されるようにすることを特徴としている。
【００１１】
さらにまた、本発明は、電気通信ネットワークと、ある呼びに関与する第１の加入者ステーションと、１つまたはそれ以上の他の加入者ステーションとを備える電気通信シテムに関するものである。この本発明の電気通信システムは、前記電気通信ネットワークが、前記第１の加入者ステーションに応答して、前記呼びに関与している１つまたはそれ以上の加入者ステーションをその呼びから排除するための手段を備えることを特徴としている。
【００１２】
本発明は、第１の加入者ステーション、例えば、ディスパッチャが、電気通信ネットワークにその呼びから所望の他の加入者ステーションを排除するように命令し、電気通信ネットワークがその命令を実行するというような考え方に基づくものである。それら加入者は、例えば、第１の加入者ステーションが排除メッセージを送信し、この排除メッセージに応答して、電気通信ネットワークが所望の加入者ステーションをその呼びから排除するというような仕方で、排除されうる。
【００１３】
現在のシステムでも、例えば、コンファレンス呼びが行われているような場合において、新しい加入者をその呼びに加えるようにして、その呼びを拡張することはできる。これは、発呼者が参入メッセージを電気通信ネットワーク、例えば、ＰＭＲ無線システムへ送信し、この参入メッセージに応答して、システムがその呼びに所望の加入者ステーションを加えるというような仕方で、行われる。
【００１４】
ある呼びを縮小するためには、従来のシステムでは、それに対応するシグナリングを行なうのでなく、参入メッセージを解釈して、所望の加入者ステーションがその呼びから排除されるべきであることを意味しており、その参入メッセージがそのことを示している加入者ステーションが既にその呼びに関与しているときにはその加入者ステーションを排除するという仕方で行われている。ここで強調すべき点は、加えられる加入者ステーションは、個々の加入者であってもよく、または、グループ呼びグループであってもよいということである。呼びの縮小については、シグナリングは、呼びの拡張に比べて同様のままである。
【００１５】
電気通信システムにおける呼びを制御するためのこのような方法および電気通信システムの利点は、前述したような従来のシステムの問題点を解決できるということであり、すなわち、ある呼び、典型的には、グループ呼びに関与している加入者ステーションのグループを、その呼びを制御している加入者ステーション、第１の加入者ステーションまたはディスパッチャが望むような仕方で縮小させることが可能であるということである。
【００１６】
本発明は、加入者ステーション、例えば、ディスパッチャが、迅速性を必要とするオペレーションにおいて大きなグループ呼びでも小コアのグループへと向けることが素早くできるようにするということである。その呼びを制御する第１の加入者ステーションは、その呼びを中断せずに、その呼びの縮小が上手く行われたことを確認することができる。何故ならば、より小さくされたグループが必要とするリソースは、元のより大きなグループのために既に予約されていて、従来技術における如く、その間にそれらリソースを手放す必要がないからである。
【００１７】
本発明は、また、呼びの既存の拡張方法と共にこの新規な方法を用いることにより、発呼者が、自分の呼びを非常に融通性のある仕方で所望のグループへと向ける、すなわち、ズームすることができるという利点もある。こうして、ディスパッチャは、必要に応じて、より小さなグループにだけ与えられるべき情報が与えられてはならない加入者ステーションを、その呼びから排除することができる。
【００１８】
さらにまた、本発明による方法およびシステムは、使用されるリソース、例えば、無線チャンネルを保存しつつ、いくつかのグループの間で同時に素早い通信を行えるようにするという利点を有している。本発明の方法による利点を享受できるのは、典型的には、無線電話ネットワークを使用していて且つその領域内のいくつかの異なるワークグループを制御するようなディスパッチャである。
【発明を実施するための最良の形態】
【００１９】
次に、添付図面に基づいて本発明をより詳細に説明する。
【００２０】
本方法に関しては、加入者ステーションが固定ワイヤ接続電話であるか、移動電話であるかは問わないものであり、また、電気通信ネットワーク、すなわち、電気通信インフラストラクチャが無線電話システムであるか、または、固定電話ネットワークであるか、または、その他の電気通信ネットワークであるかも問わないものである。
【００２１】
例えば、ＭＰＴ無線電話システムにおいては、本方法によって必要とされる排除メッセージは、トラヒックチャンネルにて送信されるＲＱＳメッセージで発生され、そのＩＤＥＮＴ１フィールドが、排除されるべき加入者またはグループの番号（Ｃ）を含んでいる。ＭＰＴ標準による１つのオペレーティングにより、このメッセージは、もし、識別子がＣである加入者またはグループがこのメッセージの送信者と同じ呼びに既に関与している場合には、排除メッセージとして解釈される。
【００２２】
本方法の実施の仕方は、排除メッセージに関しても、システムインフラストラクチャが排除メッセージを受けて後にその呼びから余計な加入者をどのようにして排除するかに関しても、自由に変えられるものである。
【００２３】
本実施例において説明するＭＰＴシグナリングは、文書“ＭＰＴ １３２７ A Signalling for Trunked Private Land Mobile Radio Systems，January 1988”（１９９１年１１月改訂再版）の、特に、11.2.1．章1に定められている。
【００２４】
図１は、元の呼び１００と、より少ない加入者からなる縮小された呼び１０１とを含むような状況における本発明の方法の適用例を略示している。加入者ステーションＳは、両方の呼びに関連して示されている。さらに、この図１は、加入者ステーションＳのうちの特定のグループ１０２を元の呼びから排除することを電気通信ネットワークに命令する第１の加入者ステーション、すなわち、加入者ステーションＤをも示している。この第１の加入者ステーションは、例えば、あるグループ呼びを制御するディスパッチャである。ディスパッチャ（図１および図２において二重丸を付して示されている）がその呼びに関与している加入者のグループを縮小するときには、元の呼び１００は、より少ない加入者ステーション３が関与する縮小された呼び１０１へと縮小される。
【００２５】
図２は、加入者ステーションＳのグループが属している元の呼び２００を含むような状況における本発明の方法の適用例を示している。この呼びに関与している第１の加入者ステーションＤ、１０３は、例えば、ディスパッチャであり、先ず、電気通信ネットワークに、加入者ステーションの所望のグループ２０１をその元の呼び２００から排除するように命令する。第１の加入者ステーションＤ、１０３およびその他のいくつかの加入者ステーションのみが、その元の呼びに留まって、サブグループ２０３を構成する。次に、第１の加入者ステーションは、参入メッセージを電気通信ネットワークへ送信し、この参入メッセージに応答して、電気通信ネットワークは、サブグループ２０３へより多くの加入者ステーションＳを加えるようにし、拡張呼び２０２がセットアップされる。この拡張呼びにおいては、いくつかの加入者２０１が元の呼びから排除されており、新しい加入者がその拡張呼び２０２に加えられている。
【００２６】
図３は、参入メッセージを用いて加入者が呼びに加えられるような従来の方法におけるシグナリングを示す。図３において、Ａ−加入者３００、Ｄ、すなわち、第１の加入者ステーション、例えば、ディスパッチャが、電気通信ネットワーク３０６、ＩＮＦＲＡ、より正確にいうとインフラストラクチャへ参入メッセージを送信する。このインフラストラクチャは、例えば、無線電話システムベースステーションおよび切換センター、または電話ネットワーク通信装置および交換機でありうる。参入メッセージ３０１は、呼びに加えられるべき加入者または加入者グループまたはグループ呼びグループの識別子Ｃを含む。この後、電気通信ネットワークは、呼びメッセージ３０２を、その参入メッセージ３０１にその識別子Ｃが含まれていた加入者３０３、すなわち、Ｃ−加入者へ送信する。その呼ばれた加入者がその呼びメッセージを受けるとき、その被呼加入者は、インフラストラクチャＩＮＦＲＡへ確認メッセージ３０４を送信する。インフラストラクチャＩＮＦＲＡは、さらに、Ａ−加入者Ｄへ確認メッセージ３０５を送信する。同時に、Ｃ−加入者はその呼びに参入し、それらには、無線チャンネル、送信リンクおよび切換手段の如き必要なリソースが割り当てられる。確認メッセージ３０５を受信した後、Ａ加入者３００、Ｄは、自分が送信した参入メッセージ３０１がその目的の場所に達したことを知り、且つ、確認メッセージ３０４をシステムＩＮＦＲＡに送信した加入者がその呼びに参入したことを知る。
【００２７】
図４は、排除メッセージまたは参入メッセージを用いて所望の加入者が呼びから排除されるような本発明の方法のシグナリングを示している。図４において、Ａ−加入者３００、Ｄ、すなわち、第１の加入者ステーション、例えば、ディスパッチャが、電気通信ネットワークＩＮＦＲＡへ排除メッセージ４０１を送信する。この排除メッセージ４０１は、その呼びから排除されるべき加入者、加入者またはグループ呼びグループの識別子Ｃを含む。この後、電気通信ネットワーク３０６、ＩＮＦＲＡが、排除メッセージ４０１にその識別子Ｃが含まれていた加入者４０３、すなわち、Ｃ−加入者へ解除メッセージ４０２を送信する。排除されるべき加入者４０３が解除メッセージ４０２を受信するとき、その加入者４０３は、インフラストラクチャＩＮＦＲＡへ確認メッセージ４０４を送信し、インフラストラクチャＩＮＦＲＡは、Ａ−加入者Ｄへ確認メッセージ４０５を送信する。
【００２８】
ここで指摘しておきたいことは、本発明の実施例においては、排除メッセージは参入メッセージと厳密に同様であってよいが、電気通信ネットワークは、新規な仕方でそれに応答するのであり、すなわち、ネットワークまたはインフラストラクチャは、参入メッセージに含まれていた加入者ステーションまたはグループ呼びの識別子を、その参入メッセージの送信者であるＡ−加入者が属している呼びに関与している加入者またはグループ呼びの識別子と比較するようにするということである。こうして、この比較の結果として、もし、参入メッセージに含まれていた識別子が、その参入メッセージの送信者であるＡ−加入者が属している呼びに関与している加入者またはグループ呼びの識別子と同じであるならば、電気通信ネットワークは、これを、その参入メッセージを送信した加入者ステーションＤがその参入メッセージに示された加入者をその呼びから排除することを望んでいることを意味するものとして、解釈する。
【００２９】
本発明の第三の実施例においては、参入メッセージ４０１に含まれた加入者ステーションおよびグループ呼びグループの識別子は、インフラストラクチャ３０６における参入メッセージ４０１に応答して、インフラストラクチャのデータベース４１３に記憶された呼びに関与している加入者ステーションの識別子と比較され、もし、それら識別子が同じであるならば、その参入メッセージに含まれていなかった識別子を有する加入者ステーションがその呼びから排除される。
【００３０】
排除および参入メッセージにおいて、情報の本質的な部分は、そのメッセージのオペレーションが関係している加入者またはグループ番号Ｃである。その他のメッセージ、すなわち、呼びメッセージ３０２、解除メッセージ４０２および確認メッセージ４０４は、加入者またはグループを呼んだり解除したり、確認を表明したりするためのシステム特有の既存のメッセージである。
【００３１】
本発明による電気通信ネットワーク、すなわち、電気通信インフラストラクチャ３０６、ＩＮＦＲＡは、第１の加入者ステーション３００、すなわち、Ａ−加入者、または、例えば、システムのディスパッチャまたはスーパーバイザに応答して、その呼びから、その呼びに関与している１つまたはそれ以上の加入者ステーション（図１において１０２）を排除するための手段４１１を備える。このような排除は、解除メッセージをその所望の加入者へ送信することによって、前述したようにして行われる。
【００３２】
本発明の電気通信システムにおいては、第１の加入者ステーションに応答して別の加入者ステーション１０２をその呼びから排除する前記手段４１１は、その第１の加入者ステーションによって送信される排除メッセージ４０１に応答する。
【００３３】
本発明の電気通信システムにおいては、第１の加入者ステーションに応答して別の加入者ステーションをその呼びから排除するための前記手段４１１は、その第１の加入者ステーションによって送信される参入メッセージに応答する。これは、本発明の第２の実施例に係る。
【００３４】
本発明の電気通信システムは、第１の加入者ステーションによって送信される参入メッセージ３０１に応答して、その参入メッセージ３０１に含まれた加入者ステーションの識別子Ｃを、その電気通信ネットワーク３０６のデータベース４１３に記憶されたその呼びに関与している加入者ステーションの識別子と比較し且つこの比較に基づいて１つまたはそれ以上の加入者ステーション１０２をその呼びから排除するための比較手段４１２を備える。
【００３５】
添付図面およびこれら図面に関して以上説明したことは、本発明の概念を例示しようとしているだけのものである。電気通信システムにおける呼びを制御するための本発明の方法および電気通信システムは、その細部においては、請求の範囲の記載による範囲内において、変形しうるものである。主として移動通信または無線電話システムに関連して本発明を説明したのであるが、本発明は、通常の電話ネットワークの如きその他の型の電気通信システムにも、または、この種のネットワークをインテリジェントネットワーク（ＩＮ）応用にも、使用しうるものである。
【図面の簡単な説明】
【００３６】
【図１】元の呼び、およびより少ない加入者からなる縮小された呼びを含む状況における本発明の方法の適用例を略示する図である。
【図２】元の呼びおよび拡張された呼びを含み、いくつかの加入者が元の呼びから排除され且つ新しい加入者がその拡張された呼びに加えられているような状況における本発明の方法の適用例を略示する図である。
【図３】参入メッセージを用いて加入者が呼びに加えられるような従来の方法のシグナリングを略示する図である。
【図４】排除メッセージまたは参入メッセージを用いて所望の加入者ステーションが呼びから排除される本発明の方法のシグナリングを略示する図である。
【符号の説明】
【００３７】
１００  元の呼び
１０１  縮小された呼び
１０２  加入者ステーションの特定のグループ
１０３  第１の加入者ステーション
２００  元の呼び
２０１  加入者ステーションの所望のグループ
２０２  拡張呼び
２０３  加入者ステーションのサブグループ
３００  Ａ−加入者
３０１  参入メッセージ
３０２  呼びメッセージ
３０３  Ｃ−加入者
３０４  確認メッセージ
３０５  確認メッセージ
３０６  電気通信ネットワーク
４０１  排除又は参入メッセージ
４０２  解除メッセージ
４０３  Ｃ−加入者
４０４  確認メッセージ
４０５  確認メッセージ
４１１  排除手段
４１３  データベース
【図１】
2006101552.tif 000003
【図２】
2006101552.tif 000004
【図３】
2006101552.tif 000005
【図４】
2006101552.tif 000006